(57)【要約】      （修正有）【課題】設備機器からの排水が流入する第一流路と、他の設備機器からの排水が流入する第二流路を備えた排水トラップについて、装置の全高を押さえつつ、第一流路側からの排水等の逆流を防ぐ逆流防止機能を向上させた排水トラップの提供を課題とする。【解決手段】排水トラップ１は、設備機器からの排水が流入する第一流路２５と、他の設備機器からの排水が流入する第二流路２６と、排水の一部を貯留する封水部６と、封水部６との組み合わせによって水封状態を形成する防臭筒１０を有している。又、防臭筒１０は内部に弁座１５と弁体１６から成る逆止め弁１４が配置されている。【選択図】図２
2017206885.tif 000002
【特許請求の範囲】
【請求項１】
設備機器からの排水が流入する第一流路と、
他の設備機器からの排水が流入する第二流路と、
排水の一部を貯留する封水部と、
上記第一流路は、下端が封水部内に配置され、封水部との組み合わせによって水封状態を形成する防臭筒を有し、
前記防臭筒は、内部に逆止め弁を備えることを特徴とする排水トラップ。
【請求項２】
上記逆止め弁は、防臭筒の下端よりも上流側に配置されていることを特徴とする請求項１に記載の排水トラップ。
【請求項３】
前記逆止め弁は、下流側からの排水等の逆流を防止するとともに、上流側からの排水の流入に伴い回動し、下流側へと排水を流入させるスイング式の弁体と、弁体が当接する弁座から成る逆止め弁であることを特徴とする請求項１又は請求項２に記載の排水トラップ。
【請求項４】
前記排水トラップが、
逆止め弁の動作時における音鳴りを防ぐ、音鳴り防止機構を有することを特徴とする請求項１乃至請求項３のいずれか１つに記載の排水トラップ。
【発明の詳細な説明】
【技術分野】
【０００１】
本発明は、設備機器からの排水を排出すると共に、下流からの臭気や害虫等が屋内へと逆流することを防ぐ、トラップ機能を形成する排水トラップに関するものである。更に詳しくは、設備機器からの排水が流入する第一流路と、他の設備機器からの排水が流入する第二流路を有する排水トラップに関するものである。
【背景技術】
【０００２】
洗濯機や浴室の排水口には、排水口に流入した排水を排出する排水配管が取り付けられているが、当該排水配管を単に下水側へと繋ぐと、下流側からの臭気や害虫が屋内へと逆流してしまう。そこで、排水トラップと呼ばれる、トラップ機能を有する装置を設けることにより、当該問題を解決している。
排水トラップは内部に排水を貯留し、当該貯留された排水によって排水流路の一部を満水（水封）状態にすることで、下流側から屋内に臭気や害虫が侵入することを防ぐトラップ機能を形成する。尚、内部に貯留された排水は「封水」と呼ばれる。
ここで、上記排水トラップは、洗い場パン（設備機器）からの排水が流入する第一流路と、浴槽及び浴槽パン（他の設備機器）からの排水が流入する第二流路を備えているものが知られている。又、排水トラップは洗い場パンの下方に配置されるトラップ本体と、浴槽及び浴槽パンの下方に配置される排水エルボより構成される。
上記洗い場パンからの排水は、洗い場パン上に設けられた排水口より第一流路内に流入する。即ち、防臭筒、封水部を通じてトラップ本体に流入し、トラップ本体の側壁に形成された排出口より、更に下流側の排水配管へ排出される。一方、浴槽又は浴槽パンからの排水は、浴槽又は浴槽パン上に設けられた排水口より第二流路内に流入する。即ち、排水エルボ、枝管部を通じ、排水トラップ本体へと流入し、封水部を通じて上記排出口より、更に下流側の排水配管へ排出される。
【０００３】
ここで、上記排水トラップにおいて、第二流路から排水された排水はトラップ本体内において第一流路と合流することから、第二流路に多量の排水が排出された場合、当該排水が第一流路を通り、洗い場パンの排水口より溢れ出てしまうことがある。そこで、特許文献１に記載の排水トラップにおいては排水流路内に逆止め弁を配置することにより、排水の逆流を防止している。
【先行技術文献】
【特許文献】
【０００４】
【特許文献１】特開２０１０−２０３１１３号公報
【発明の概要】
【発明が解決しようとする課題】
【０００５】
しかし、上記特許文献１に記載の排水トラップにおいては、弁体が防臭筒の下端と当接する構造であるため、防臭筒の下方に、逆止め弁が動作するための空間が必要となるため、装置が大型化してしまう。又、上記逆止め弁は弁体が常に排水流路を閉塞している構造ではないため、排水内に多量の泡が混入している場合等において、排水の逆流を防止するができない場合があった。
【０００６】
本発明は上記問題に鑑み、排水の逆流を防止するとともに、装置を小型化させた排水トラップの提供、及び逆流防止機能の向上を課題とする。
【課題を解決するための手段】
【０００７】
上記課題を解決するための請求項１に記載の本発明は、設備機器からの排水が流入する第一流路と、
他の設備機器からの排水が流入する第二流路と、
排水の一部を貯留する封水部と、
上記第一流路は、下端が封水部内に配置され、封水部との組み合わせによって水封状態を形成する防臭筒を有し、
前記防臭筒は、内部に逆止め弁を備えることを特徴とする排水トラップである。
【０００８】
請求項２に記載の本発明は、上記逆止め弁は、防臭筒の下端よりも上流側に配置されていることを特徴とする請求項１に記載の排水トラップである。
【０００９】
請求項３に記載の本発明は、前記逆止め弁は、下流側からの排水等の逆流を防止するとともに、上流側からの排水の流入に伴い回動し、下流側へと排水を流入させるスイング式の弁体と、弁体が当接する弁座から成る逆止め弁であることを特徴とする請求項１又は請求項２に記載の排水トラップである。
【００１０】
請求項４に記載の本発明は、前記排水トラップが、
逆止め弁の動作時における音鳴りを防ぐ、音鳴り防止機構を有することを特徴とする請求項１乃至請求項３のいずれか１つに記載の排水トラップである。
【発明の効果】
【００１１】
請求項１及び請求項２に記載の本発明によれば、防臭筒内が内部に逆止め弁を備えることにより、排水の逆流を防止するとともに、装置を小型化させることが可能となる。
請求項３に記載の本発明によれば、スイング式の弁体を備えた逆止め弁を採用することにより、逆流防止機能を十分に発揮させつつ、上流側からの排水流量を確保することが可能となる。
請求項４に記載の本発明によれば、消音部材により、逆止め弁の動作に伴う騒音を低減することが可能となる。
【図面の簡単な説明】
【００１２】
【図１】本発明の排水トラップの施工状態を示す断面図である。
【図２】トラップ本体を示す断面図である。
【図３】弁体の構成を示す（ａ）正面図（ｂ）背面図である。
【図４】第一流路の排水の流れを示す参考図である。
【図５】第二流路の排水の流れを示す参考図である。
【図６】その他の実施形態を示す断面図である。
【発明を実施するための形態】
【００１３】
以下、図面を参照しながら本発明の排水トラップ１を説明する。尚、以下に記載する説明は実施形態の理解を容易にするためのものであり、これによって発明が制限して理解されるものではない。
【００１４】
以下に、本発明の第一実施形態について図１乃至図４を用いて説明する。
【００１５】
図１に示すように、本実施形態に係る排水トラップ１は、浴室１００に取り付けられている。浴室１００は、使用者が体を洗う、洗い場の排水を受ける洗い場パン１０１と、浴槽１０２と、浴槽１０２が載置された浴槽パン１０３から構成されている。尚、以下に記載する第一実施形態においては、洗い場パン１０１を設備機器とし、浴槽１０２及び浴槽パン１０３を他の設備機器とする。
【００１６】
排水トラップ１は図１に示すように、洗い場パン１０１側に配置されるトラップ本体２、封水部６、フランジ部材７、防臭筒１０、及び浴槽１０２と浴槽パン１０３側に配置される排水エルボ２３より構成され、前記洗い場パン１０１からの排水を排出する第一流路２５と、浴槽１０２又は浴槽パン１０３からの排水を排出する第二流路２６を有している。
【００１７】
図２に示すように、トラップ本体２は有底筒状であって、その上面及び側面に開口が形成された箱状であるとともに、その側面には、排出口３及び枝管部４が形成されている。又、トラップ本体２は内部に封水部６を備えている。
上記トラップ本体２の上面に形成された開口はその内周において雌螺子部が螺刻されており、パッキン及び洗い場パン１０１を介して後述するフランジ部材７と螺合されている。
排出口３はトラップ本体２内部に流入した排水を更に下流側の配管へと排出する開口であり、更に下流側の配管が接着されている。
枝管部４は上記排出口３と対向する側面に形成された開口であり、上流側に向けて筒状に延設されており、後述する排水エルボ２３の端部が接着されている。従って、本実施形態においては、枝管部４を通じて第一流路２５と第二流路２６が連通さており、第二流路２６からの排水は排水トラップ本体２内部に流入し、第一流路２５と合流する構造となっている。
封水部６は内部に排水を貯留可能な空間であり、本実施形態においては、トラップ本体２底面より封水壁５が上方へ向けて立設されることで形成されている。ここで、上述の通り、トラップ本体２は枝管部４を通じて排水エルボ２３と連通されている。従って、本発明の排水トラップ１は、排水エルボ２３とトラップ本体２の一部に排水を貯留し、封水を形成することが可能であり、第一流路２５と第二流路２６が封水を共有している。
【００１８】
フランジ部材７は円筒状であって、その上端に形成された外向きの鍔状部分と、当該鍔状部分より下方に延設された筒状部分より成る。筒状部分外周には雄螺子部が螺刻され、パッキン及び洗い場パン１０１を介して前記トラップ本体２と螺合されている。又、筒状部分内周には中程において内側に延出された内向きの段部８及び突起部９が形成されている。尚、鍔状部分の外周は洗い場パン１０１の取り付け孔よりも大径であるが、筒状部分外周は当該取り付け孔よりも小径に形成されており、当該鍔状部分の下面と、トラップ本体２の上面とで取り付け孔周縁が挟持されている。そして、前記段部８には後述する防臭筒１０が載置されるとともに、突起部９に防臭筒１０外周が係合されることによって保持されている。又、フランジ部材７はその上端が第一流路２５の流入口（第一流入口２７）として機能し、洗い場パン１０１上に生じた排水が流入する。
【００１９】
防臭筒１０は内部に排水流路を形成する円筒状の部材であって、縮径部１１、屈曲部１２、排出部１３より構成されており、屈曲部１２と排出部１３の境界部分には逆止め弁１４が設けられている。
縮径部１１は防臭筒１０の上端より、下流側に進むに連れて漸次一方の内壁に向けて縮径し、屈曲部１２と連続する。尚、図２に示すように、縮径部１１の下端において、防臭筒１０内の排水流路の脚断面積は約１／２となる。
屈曲部１２は縮径部１１下端から防臭筒１０の底面にかけて形成された屈曲部分であり、流入した排水は屈曲部１２においてその流れ方向が略水平方向となる。
排出部１３は防臭筒１０の下流側端部であり、排出部１３において、屈曲部１２より流入した排水はその流れ方向が略水平方向より略垂直方向となり、封水部６へと排出される。又、排出部１３下端（防臭筒１０下端）は前記封水部６の底面（トラップ本体２底面）から封水壁５上端までの間に配置されている。従って、防臭筒１０は封水部６内に貯留された封水内に下端が配置されることにより、第一流路２５の一部を満水（水封）状態にすることで、下流側から屋内に臭気や害虫が侵入することを防ぐトラップ機能を形成する。
【００２０】
逆止め弁１４は上記防臭筒１０の内部であって、弁座１５及び弁体１６より成り、屈曲部１２と排出部１３の間に配置され、下流側からの排水や臭気、害虫等の逆流を防止する逆流防止機能を有する。
弁座１５は防臭筒１０の流路中に形成された弁体１６の当接部分であり、防臭筒１０の中心に配置されている。又、弁座１５は垂直方向に対して数度傾斜しており、弁体１６が当接することで、防臭筒１０内部の排水流路を閉塞している。
弁体１６は略長方形の板状部１７と、板状部１７の上端に形成された軸部１９から構成され、上流側からの排水の流入に伴い回動し、下流側はと排水を流入させるスイング式の逆止め弁１４であり、水よりも比重の高い硬質の樹脂材より成る。板状部１７は第一流路を閉塞する機能を有する板体であって、板状部１７側面において凸部１８が突設されている。又、板状部１７は周囲に消音部材２０が嵌着されており、上記凸部１８に消音部材２０の凹部２１が係合されている。軸部１９は弁体１６の上端において、側面方向に延設された筒状の軸であり、防臭筒１０内において回動自在に保持されている。
ここで、上記弁座１５は断面視垂直方向に延設されており、弁体１６は弁座１５に対して略水平方向より当接している。尚、弁座１５について「断面視略垂直」と記載しているが、上述の通り、弁座１５は傾斜面となっている。従って、「弁体１６は弁座１５に対して略水平方向より当接している」と記載しているが、実際には弁体１６は数度傾斜した状態で弁座１５と当接しており、弁体１６は第一流入口２７から排水が流入していない状態において、自重により弁座１５と当接し、第一流路２５を閉塞している。
【００２１】
消音部材２０はゴムやシリコン等の軟質材又は弾性材より成り、板状部１７の周囲に嵌着されている。又、消音部材２０は弁体１６の板状部１７の周囲に嵌着されており、内面に形成された凹部２１が上記凸部１８と係合することによって抜脱が防止されている。尚、消音部材２０が嵌着された状態において、図３（ａ）に示すように、板状部１７の表面（弁座１５と当接する側）全体が消音部材２０によって被覆されており、図３（ｂ）に示すように、上辺を除く板状部１７の裏面の三辺の外縁が消音部材２０によって被覆されている。
ここで、上記弁体１６は板状部１７の表面全体が消音部材２０によって被覆されていることから、弁体１６と弁座１５との当接箇所には消音部材２０が配置されている。又、板状部１７の裏面の三辺の外縁が消音部材２０によって被覆されていることから、弁体１６が回動した際における、弁体１６と防臭筒１０の内周面との当接箇所にも消音部材２０が配置されている。即ち、本発明において、弁体１６は、弁座１５と防臭筒１０と当接する際、常に消音部材２０を介して当接する。
【００２２】
第一目皿２２は防臭筒１０の上方に配置され、第一流入口２７に取り付けられた円形であって、洗い場パン１０１上に生じた排水中の毛髪等を捕集する網目状の捕集部を有している。
【００２３】
排水エルボ２３は側面視略Ｌ字状の配管であって、上流側において浴槽１０２及び浴槽パン１０３からの排水が流入する第二流入口２８が開口しており、当該第二流入口２８には第二目皿２４が取り付けられている。又、排水エルボ２３は下流側端部において上記トラップ本体２の枝管部４と連結しており、第二流入口２８から流入した排水を、枝管部４を通じてトラップ本体２内へと排出する。
【００２４】
第二目皿２４は中央において浴槽１０２の排水口から連続する配管が中央に接続されているとともに、当該開口の周囲において、浴槽パン１０３からの排水が流入する切り欠きが形成されている。尚、第二目皿２４はその裏面（下面）においてフロート式の逆止め弁が配置されており、下流側からの排水が浴槽パン１０３側へと逆流することを防ぐことができる。
【００２５】
上記排水トラップ１は、洗い場パン１０１からの排水が流れる第一流路２５と、浴槽１０２及び浴槽パン１０３からの排水が流れる第二流路２６を有している。以下において、上記第一流路２５及び第二流路を流れる排水の流れを説明する。
【００２６】
まず、図４に示すように、洗い場パン１０１上に排水が生じた場合、当該排水は第一目皿２２を通過して、第一流入口２７より防臭筒１０内の縮径部１１を通り、屈曲部１２へと流入する。この時、流入した排水は屈曲部１２によって流れる方向が約９０度屈曲され、略水平方向の流れとなる。そして、当該略水平方向に流れる排水は、弁座１５に取り付けられた弁体１６に当接する。この時、弁体１６には弁座１５から離間する方向に水圧が加わるため、弁体１６は軸部１９を軸として回動し、第一流路２５を開放状態にする。この時、水勢によって回動した弁体１６は、板状部１７の底辺が防臭筒１０の内壁（排出部１３内壁）と当接することがあるが、上述のように、板状部１７の裏面の三辺の外縁は消音部材２０によって被覆されているため、弁体１６と防臭筒１０が衝突した際の騒音は消音部材２０によって低減される。
【００２７】
そして、弁体１６を回動させた排水は略水平方向より排出部１３へと流入し、再び略垂直方向へと流れが屈曲され、防臭筒１０下端より封水部６内へと排出される。その後、排水は防臭筒１０の外側を通り、封水壁５を乗り越えて排出口３より下流側の配管へと排出される。第一流路２５への排水が終了すると、弁体１６は自重によって回動し、弁座１５に当接して第一流路２５を再び閉塞する。尚、上述の通り、板状部１７の表面は消音部材２０によって被覆されているため弁体１６と弁座１５が衝突した際の騒音は消音部材２０によって低減される。
【００２８】
次に、図５に示すように、浴槽１０２及び浴槽パン１０３上に排水が生じた場合、当該排水は第二目皿２４を通過して、第二流入口２８より排水エルボ２３内へと流入する。排水エルボ２３内に流入した排水は、枝管部４を通じてトラップ本体２内に流入し、封水壁５を乗り越えて排出口３より排出される。
【００２９】
ここで、浴槽１０２より多量の排水が生じた場合等において、枝管部４（第二流路２６）よりトラップ本体２へと流入する排水の一部は防臭筒１０下端より逆流しようとする。しかし、第一流路２５は逆止め弁１４によって閉塞されており、当該逆流しようとする排水は弁体１６を弁座１５側に向けて付勢することから、逆止め弁１４は第一流路２５を閉塞した状態を維持し、排水が逆流することはない。
【００３０】
第一流路２５又は第二流路２６からの排水が終了した際、トラップ本体２内部に流入した排水の一部はトラップ本体２と枝管部４と排水エルボ２３の一部、即ち封水部６に貯留される。この時、防臭筒１０内部の一部と、防臭筒１０及び外周の排水流路が排水によって満水（水封）状態となり、第一流路２５にトラップ機能が形成される。同様に、トラップ本体２、枝管部４及び排水エルボ２３の排水流路が排水によって満水（水封）状態となり、第二流路２６にトラップ機能が形成される。
【００３１】
尚、排水トラップ１内に大量の排水が流れた場合や、排水トラップ１の下流側の配管に大量の排水が流れた場合等において、排水トラップ１内の排水流路が負圧となることがある。この時、逆止め弁１４の上流側と下流側に気圧差が生じることによって弁体１６が回動し、開閉を繰り返すと共に弁体１６が弁座１５及び防臭筒１０の内壁（排出部１３の内壁）に衝突する。しかし、上述の通り、本発明においては弁体１６と弁座１５の当接箇所、及び弁体１６と防臭筒１０の内壁との当接箇所には音鳴り防止機構として消音部材２０が配置されている。従って、弁体１６は消音部材２０を介して弁座１５及び防臭筒１０の内壁と衝突するため、当該消音部材２０によって衝突時の騒音が低減される。
【００３２】
上記本発明においては、防臭筒１０内部に逆止め弁１４が配置されていることにより、排水トラップ１の全高を抑えることが可能となる。又、逆止め弁１４は弁座１５が断面視垂直方向に延設されており、且つ弁体１６が弁座１５に対して略水平方向より当接している。従って、逆止め弁１４部分における流路面積を大きく確保することが可能となるため、好適な排水流量を維持することができる。
【００３３】
本発明の排水トラップは以上であるが、本発明は上記第一実施形態の形状に限られるものではなく、発明の主旨を逸脱しない範囲において種々の変更を行っても良いものである。例えば、上記第一実施形態では洗い場パン１０１を設備機器とし、浴槽１０２及び浴槽パン１０３を他の設備機器としていたが、浴槽１０２を設備機器とし、浴槽パン１０３を他の設備機器としても良い。その他にも、所謂ダブルシンクと呼ばれる２つのシンクを有する流し台において、一方のシンクを設備機器とし、他方のシンクを他の設備機器としても良く、又、洗面台を設備機器とし、オーバーフロー配管をその他の設備機器に採用しても良い。
又、上記第一実施形態においては、ゴムやシリコンから成る消音部材２０を弁体１６に嵌着させることにより逆止め弁１４作動時の騒音を低減していたが、消音部材２０の素材は上記材質に限られるものではなく、発泡樹脂等、同様の効果を奏する材質を採用しても良い。更に、逆止め弁１４作動時の騒音を低減するに当たり、消音部材２０を弁体１６に嵌着する以外に、バネや重りを用いて弁体１６を弁座１５に向けて付勢しても良く、又、弁体１６に通気部を開口することにより、逆止め弁１４の上流側と下流側の気圧差を解消することによって騒音を低減しても良い。
又、逆止め弁１４の弁体１６は、上流側からの排水の流入に伴い回動し、下流側はと排水を流入させるスイング式の逆止め弁１４であったが、フロート式逆止め弁等の逆止め弁を採用しても良い。
又、第二流路２６について、上記実施形態ではトラップ本体２の側面方向に枝管部４を設け、この枝管部４を介して逆止め弁１４の下流側に第二流入口２８からの排水を流入するように構成していたが、本発明は上記実施形態に限定されるものでは無い。即ち、図６に示すその他の実施形態のように、第二流入口２８となる管体を第一流入口２７の上方から防臭筒１０内の逆止め弁１４下流側に挿入するように構成しても構わない。このように、必要に応じて配管レイアウトは自在に変更することができる。
【符号の説明】
【００３４】
１        排水トラップ
２        トラップ本体
３        排出口
４        枝管部
５        封水壁
６        封水部
７        フランジ部材
８        段部
９        突起部
１０      防臭筒
１１      縮径部
１２      屈曲部
１３      排出部
１４      逆止め弁
１５      弁座
１６      弁体
１７      板状部
１８      凸部
１９      軸部
２０      消音部材
２１      凹部
２２      第一目皿
２３      排水エルボ
２４      第二目皿
２５      第一流路
２６      第二流路
２７      第一流入口
２８      第二流入口
１００    浴室
１０１    洗い場パン
１０２    浴槽
１０３    浴槽パン
【図１】
2017206885.tif 000003
【図２】
2017206885.tif 000004
【図３】
2017206885.tif 000005
【図４】
2017206885.tif 000006
【図５】
2017206885.tif 000007
【図６】
2017206885.tif 000008